(57)【要約】【課題】複数の放送内容に対する割込受信が優先度を付して設定されている場合であっても、優先度の低い放送を聴くことのできるようにする。【解決手段】放送内容を示す情報を含む放送データが多重化された多重放送を受信して音声出力すると共に、予め設定された放送内容の多重放送が放送開始された場合に、当該多重放送を割込受信して音声出力する放送受信装置１であって、複数の放送内容に対する割込受信の設定を優先度を付して記憶する記憶部７Ａを備え、前記割込受信中に他の割込受信すべき多重放送が放送開始された場合に、優先度の高い方の放送内容の多重放送を音声出力すると共に、優先度の低い方の放送内容の多重放送の音声信号を記録するように構成した。【選択図】図１
2007267276.tif 000002
【特許請求の範囲】
【請求項１】
放送内容を示す情報を含む放送データが多重化された多重放送を受信して音声出力すると共に、予め設定された放送内容の多重放送が放送開始された場合に、当該多重放送を割込受信して音声出力する放送受信装置であって、
複数の放送内容に対する割込受信の設定を優先度を付して記憶する記憶手段を備え、
前記割込受信中に他の割込受信すべき多重放送が放送開始された場合に、優先度の高い方の放送内容の多重放送を音声出力すると共に、優先度の低い方の放送内容の多重放送の音声信号を記録する
ことを特徴とする放送受信装置。
【請求項２】
請求項１に記載の放送受信装置において、
少なくとも、前記優先度の高い方の放送内容の多重放送が終了するまで、前記優先度の低い方の放送内容の多重放送の音声信号を記録する
ことを特徴とする放送受信装置。
【請求項３】
請求項２に記載の放送受信装置において、
現在割込受信中の放送内容の方が優先度が低い場合に、当該放送内容の多重放送の音声信号をタイムシフト再生可能に記録する
ことを特徴とする放送受信装置。
【請求項４】
請求項１乃至３のいずれかに記載の放送受信装置において、
前記優先度の高い方の放送内容の多重放送が終了した後、或いは、ユーザの指示操作がなされた場合に、前記優先度の低い方の放送内容の多重放送の音声信号を記録してなる記録音声信号を再生開始する
ことを特徴とする放送受信装置。
【請求項５】
放送内容を示す情報を含む放送データが多重化された多重放送を受信する放送受信装置であって、
複数の放送内容に対する割込受信の設定を優先度を付して記憶する記憶手段と、
前記割込受信中に他の割込受信すべき多重放送が放送開始された場合に、割込受信すべき放送内容のそれぞれの優先度を比較する優先度比較手段と、
前記優先度比較手段による比較結果に基づいて、優先度の低い方の放送内容の多重放送の音声信号を記録する音声記録手段と、
前記優先度比較手段による比較結果に基づいて、優先度の高い方の放送内容の多重放送の音声信号を音声出力する音声出力手段と
を具備することを特徴とする放送受信装置。
【発明の詳細な説明】
【技術分野】
【０００１】
本発明は、番組放送に、例えば、その番組放送の放送内容（放送ジャンル）等のデータを多重化した多重放送（例えばＦＭ−ＲＤＳ放送）を受信する放送受信装置に関する。
【背景技術】
【０００２】
従来、ＦＭ（周波数変調方式）放送に例えば放送内容を示すデジタルデータを多重化し、各種のサービスを提供するＦＭ多重放送方式（以下、「ＦＭ−ＲＤＳ放送」と言う）が知られている。このＦＭ−ＲＤＳ放送には、交通情報（ＴＡ：Traffic Announcement）や番組ジャンル(ＰＴＹ：Program Type)情報等の放送内容を示す情報を可能したＲＤＳデータが含まれている。
【０００３】
ＦＭ−ＲＤＳ放送を受信する放送受信装置にあっては、受信周波数（放送チャンネル）を順次変更しながら各放送チャンネルのＲＤＳデータを検出し、ユーザによって予め設定された所望の放送内容の多重放送を優先的に受信する割込受信機能を有したものが知られている。具体的には、交通情報（ＴＡ）を優先的に受信するＴＡ割込受信をユーザが操作パネル等を操作して有効にした場合、放送受信装置は、交通情報放送の放送開始を検出したときに、その交通情報放送の放送チャンネルを自動的に選局してユーザに交通情報音声を出力するようになっている。さらに、この種の放送受信装置では、上記交通情報の他にも、複数の放送内容に対する割込受信を設定可能に構成されており、それぞれの放送開始を並列的に待ち受け可能に構成されている（例えば、特許文献１参照）。
【特許文献１】特開平６−２６８４８２号公報
【発明の開示】
【発明が解決しようとする課題】
【０００４】
しかしながら、上記従来の放送受信装置においては、複数の割込受信が設定されている場合、それぞれの割込受信設定に優先度を付し、優先的に受信する放送が重なった場合には、優先度の高い方の放送内容を選局するように構成されており、ユーザは、優先度の低い方の放送内容を聴けなくなってしまう、といった問題がある。
本発明は、上述した事情に鑑みてなされたものであり、複数の放送内容に対する割込受信が優先度を付して設定されている場合であっても、優先度の低い放送を聴くことのできる放送受信装置を提供することを目的とする。
【課題を解決するための手段】
【０００５】
上記目的を達成するために、本発明は、放送内容を示す情報を含む放送データが多重化された多重放送を受信して音声出力すると共に、予め設定された放送内容の多重放送が放送開始された場合に、当該多重放送を割込受信して音声出力する放送受信装置であって、複数の放送内容に対する割込受信の設定を優先度を付して記憶する記憶手段を備え、前記割込受信中に他の割込受信すべき多重放送が放送開始された場合に、優先度の高い方の放送内容の多重放送を音声出力すると共に、優先度の低い方の放送内容の多重放送の音声信号を記録することを特徴とする。
【０００６】
また本発明は、上記発明において、少なくとも、前記優先度の高い方の放送内容の多重放送が終了するまで、前記優先度の低い方の放送内容の多重放送の音声信号を記録することを特徴とする。
【０００７】
また本発明は、上記発明において、現在割込受信中の放送内容の方が優先度が低い場合に、当該放送内容の多重放送の音声信号をタイムシフト再生可能に記録することを特徴とする。
【０００８】
また本発明は、上記発明において、前記優先度の高い方の放送内容の多重放送が終了した後、或いは、ユーザの指示操作がなされた場合に、前記優先度の低い方の放送内容の多重放送の音声信号を記録してなる記録音声信号を再生開始することを特徴とする。
【０００９】
また上記目的を達成するために、本発明は、放送内容を示す情報を含む放送データが多重化された多重放送を受信する放送受信装置であって、複数の放送内容に対する割込受信の設定を優先度を付して記憶する記憶手段と、前記割込受信中に他の割込受信すべき多重放送が放送開始された場合に、割込受信すべき放送内容のそれぞれの優先度を比較する優先度比較手段と、前記優先度比較手段による比較結果に基づいて、優先度の低い方の放送内容の多重放送の音声信号を記録する音声記録手段と、前記優先度比較手段による比較結果に基づいて、優先度の高い方の放送内容の多重放送の音声信号を音声出力する音声出力手段とを具備することを特徴とする。
【発明の効果】
【００１０】
本発明によれば、割込受信中に他の割込受信すべき多重放送が放送開始された場合に、優先度の高い方の放送内容の多重放送が音声出力されると共に、優先度の低い方の放送内容の多重放送の音声信号が記録されるため、ユーザは、優先度の低い方の放送内容の多重放送を、例えば優先度の高い方の放送内容の多重放送の終了後等に聴くことができる。
【発明を実施するための最良の形態】
【００１１】
以下、図面を参照して本発明の実施の形態について説明する。
図１は、本実施形態に係る放送受信装置１の機能的構成を示す図である。この放送受信装置１は、ＦＭ放送及びＦＭ−ＲＤＳ放送を受信して車室内に音声出力する車載用ラジオ装置として構成されており、図１に示すように、ＦＭ放送電波を受信する受信アンテナ２と、この受信アンテナ２で受信したＦＭ放送電波から任意の放送チャンネルの放送信号に同調するチューナ部３と、このチューナ部３にて同調した放送信号の音声信号を増幅するアンプ部４と、このアンプ部４にて増幅した音声信号を音声出力するスピーカ５と、ユーザの操作入力を受け付ける操作パネル６と、放送受信装置１全体を制御する制御部７とを有し、さらに、チューナ部３にて同調した放送信号の音声信号をタイムシフト再生可能に録音し、この録音した音声信号をアンプ部４に出力してタイムシフト再生する録音再生部８と、制御部７の制御の下、アンプ部４に入力する音声信号をチューナ部３と録音再生部８との間で切り替える音声ソース切替スイッチ９とを備えている。
【００１２】
上記チューナ部３は、音声信号をアンプ部４に出力するメインチューナユニット３１と、音声信号を録音再生部８に出力するサブチューナユニット３２とを備え、各チューナユニット３１、３２は、制御部７の制御の下、ＦＭ放送電波の受信動作を実行する。また、各チューナユニット３１、３２は、任意の放送チャンネルの放送信号に同調するための同調周波数信号を生成するＰＬＬ回路や、放送信号がＲＤＳ放送信号の場合に、このＲＤＳ放送信号からＲＤＳデータを抽出し復号化（解読）するＲＤＳデコーダを有し、復号化されたＲＤＳデータが制御部７に出力される。このＲＤＳデータには、上記上記ＴＡやＰＴＹ情報、緊急災害時の災害情報等が含まれている。なお、ＲＤＳデータの復号化処理を制御部７にて実行しても良いことは勿論である。
【００１３】
録音再生部８は、例えばハードディスク装置等の比較的容量の大きな音声記録用の記憶装置８Ａを備え、制御部７の制御の下、サブチューナユニット３２から出力されている音声信号をタイムシフト再生可能に記録し、また、この記録した音声信号（記録音声信号）を、制御部７の指示に応じて、音声ソース切替スイッチ９を介してアンプ部４に出力しタイムシフト再生する。
【００１４】
また、本放送受信装置１は、操作パネル６を操作して複数の上記割込受信を優先度を付して設定可能に構成されており、割込受信が設定された場合には、制御部７は、かかる設定を割込受信設定データ１０として記憶部７Ａに保存する。この割込受信設定データ１０には、図２に示すように、割込受信の優先順位を示す優先度１１、優先的に受信する放送内容を示す優先受信放送１２、及び、割込信号タイプ１３が互いに対応付けられている。割込信号タイプ１３は、優先的に受信する放送内容ごとに割り込み信号を規定するものであり、例えば、優先受信放送が交通情報である場合にはＴＡ割込受信信号、優先受信放送が緊急放送である場合には緊急放送割込受信信号、また、優先受信放送が番組ジャンルを指定してなされた場合にはＰＴＹ割込受信信号がそれぞれ対応付けられている。
【００１５】
以上の構成の下、制御部７は、上記割込受信設定がなされている場合、ある放送チャンネルをメインチューナユニット３１にて受信しつつ、ＦＭ−ＲＤＳ放送の放送周波数帯域内の各放送チャンネルを順次サブチューナユニット３２に受信させると共に、割込受信すべき放送内容の放送開始が検出された場合には、その放送を優先的に受信すべく割込受信信号を生成し、現在の受信動作に割込を発生させる。この割込受信信号の生成に基づき制御部７は、メインチューナユニット３１の受信チャンネルを切替え、その放送チャンネルの音声信号を出力する。
【００１６】
また、ある放送チャンネルを割込受信している場合であっても、制御部７は、サブチューナユニット３２で割込受信すべき他の放送があるかを監視する。そして、他に割込受信すべき放送がある場合には、その放送の優先度に基づいて、メインチューナユニット３１の受信チャンネルを切替えて音声出力するか否かを決定することとなる。以下、かかる割込受信処理について図３を参照して説明する。
【００１７】
図３は割込受信処理のフローチャートである。この図に示すように、制御部７は、割込受信信号を間欠的に検出し（ステップＳ１）、割込受信信号を検出した場合には（ステップＳ１：Ｙｅｓ）、現在、他の放送を割込受信中であるか否かを判断する（ステップＳ２）。割込受信中でない場合には（ステップＳ２：Ｎｏ）、制御部７は、メインチューナユニット３１が受信中の放送チャンネルを切替えて、その放送チャンネルの音声信号を出力し、割込受信を開始し（ステップＳ３）、新たな割込受信を検出すべく、処理手順をステップＳ１に戻す。
【００１８】
一方、上記ステップＳ２の判断の結果、既に割込受信中である場合（ステップＳ２：Ｙｅｓ）、制御部７は、割込受信設定データ１０に規定された優先度に基づいて、新たに検出された割込受信の優先度が現在の割込受信の優先度よりも高いか否かを判断する（ステップＳ４）。この判断の結果、新たに検出された割込受信の優先度の方が高い場合（ステップＳ４：Ｙｅｓ）、制御部７は、現在の割込受信している放送チャンネルをサブチューナユニット３２に受信させ、当該サブチューナユニット３２が出力する音声信号を録音再生部８に入力して、現在の割込受信している放送の音声信号を録音再生部８にタイムシフト再生可能に記録させる（ステップＳ５）。
【００１９】
次いで、制御部７は、新たに検出された割込受信の放送を音声出力すべく、当該割込受信の放送チャンネルをメインチューナユニット３１に受信させて、この放送チャンネルの放送をスピーカ５から音声出力する（ステップＳ６）。そして、制御部７は、新たに検出された割込受信の放送が終了するまでの間（ステップＳ７：Ｎｏ）、優先度の高い放送の音声出力、及び、優先度の低い放送の録音を継続し、新たに検出された割込受信の放送が終了した場合に（ステップＳ７：Ｙｅｓ）、タイムシフト再生可能に記録している音声信号のタイムシフト再生を開始した後（ステップＳ８）、次の割込受信があるか否かを判断すべく、処理手順をステップＳ１に戻す。これにより、割込受信中に新たな検出された割込受信の音声信号に出力音声が切り替わり視聴が中断されたとしても、この新たな割込受信の放送終了後に、その続きを視聴することができる。
【００２０】
また、上記ステップＳ４の判断の結果、新たに検出された割込受信の優先度の方が低い場合（ステップＳ４：Ｎｏ）、この優先度の低い方の割込受信の放送を録音すべく、当該割込受信の放送チャンネルをサブチューナユニット３２に受信させ、当該サブチューナユニット３２が出力する音声信号を録音再生部８に入力して、今回新たに検出された優先度の低い割込受信の放送の音声信号を録音再生部８に記録させる（ステップＳ９）。そして、制御部７は、新たに検出された優先度の低い割込受信の放送が終了するまでの間（ステップＳ１０：Ｎｏ）、優先度の低い放送の録音を継続し、新たに検出された割込受信の放送が終了した場合に（ステップＳ１０：Ｙｅｓ）、優先度の低い放送の録音を停止し（ステップＳ１１）、次の割込受信があるか否かを判断すべく、処理手順をステップＳ１に戻す。そして、このように録音された放送は、ユーザが操作パネル６を操作して録音再生部８に録音された放送の再生を指示した場合に再生が開始されて音声出力される。なお、現在音声出力中の優先度の高い放送が放送終了したときに、制御部７が録音再生部８に記録した放送を自動で再生開始するようにしても良い。
【００２１】
このように、本実施形態によれば、割込受信中に他の割込受信すべき放送が放送開始された場合であっても、優先度の高い方の放送内容の放送を音声出力すると共に、優先度の低い方の放送内容の放送の音声信号を記録するようにしたため、ユーザは、優先度の低い方の放送内容の多重放送を、例えば優先度の高い方の放送内容の多重放送の終了後等にいつでも聴くことができる。
【００２２】
特に、本実施形態によれば、現在割込受信中の放送内容の方が優先度が低い場合に、当該放送内容の放送の音声信号をタイムシフト再生可能に記録し、優先度の高い放送内容の放送終了後にタイムシフト再生するようにしたため、割込受信中の放送の視聴が新たな割込受信により中断されたとしても、その続きを視聴することができる。
【００２３】
なお、上述した実施の形態は、あくまでも本発明の一態様を示すものであり、本発明の範囲内で任意に変形および応用が可能である。
例えば上述の実施形態では、車載用ラジオ装置に本発明を適用した場合を例示したが、これに限らず、放送内容を示す情報が多重化された多重放送を受信する放送受信装置であれば、任意の放送受信装置に本発明を適用することができる。
【図面の簡単な説明】
【００２４】
【図１】本発明の実施形態に係る放送受信装置の構成を示すブロック図。
【図２】割込受信設定データを模式的に示す図。
【図３】割込受信処理を示すフローチャート。
【符号の説明】
【００２５】
１  放送受信装置
３  チューナ部
４  アンプ部
７  制御部
７Ａ  記憶部
８  録音再生部
３１  メインチューナユニット
３２  サブチューナユニット
【図１】
2007267276.tif 000003
【図２】
2007267276.tif 000004
【図３】
2007267276.tif 000005